(57)【要約】【課題】製造時の部品コストを低減できるとともに、製造する際の工数、及び、組み付け部品の保管管理の手間を削減できるチェックアウト端末装置を提供することを目的とする。【解決手段】ロール状の用紙を繰り出して、その印刷面に情報を印刷する印刷機能を備えたチェックアウト端末装置であって、鋳造で成形される装置筐体に一体的に作り込まれた、前記ロール状の用紙を収容する収容部１１４を有する。収容部１１４は、ロール状の用紙の外周面を周接する円弧状に形成されている。【選択図】図４
2015075900.tif 000002
【特許請求の範囲】
【請求項１】
ロール状の用紙を繰り出して、その印刷面に情報を印刷する印刷機能を備えたチェックアウト端末装置であって、
鋳造で成形される下部筐体に一体的に作り込まれた、前記ロール状の用紙を収容する収容部を有することを特徴とするチェックアウト端末装置。
【請求項２】
前記収容部は、前記ロール状の用紙の外周面を周接する円弧状であることを特徴とする請求項１に記載のチェックアウト端末装置。
【請求項３】
前記収容部は、
前記ロール状の用紙の左右端を受ける壁部に設けられた切り欠き部、又は、該収容部の円弧状の部分若しくはその近傍部分に設けられた切り欠き部を有することを特徴とする請求項１または２に記載のチェックアウト端末装置。
【請求項４】
前記収容部は、前記ロール状の用紙に接するローラの軸を係止するための係止部を有することを特徴とする請求項１から３のいずれかに記載のチェックアウト端末装置。
【発明の詳細な説明】
【技術分野】
【０００１】
本発明は、ロール状の用紙を繰り出して、その印刷面に情報を印刷する印刷機能を備えたチェックアウト端末装置に関する。
【背景技術】
【０００２】
従来、客が買い上げた商品の精算を行うチェックアウト端末装置（例えば、ＰＯＳ（Point Of Sale）端末装置など）には、買い上げた商品の商品名、単価、買い上げ数量、及び、複数商品を買い上げた際の当該商品に関する小計などからなる買い上げ品項目一覧と、買い上げた商品の合計金額と、客が店員に預けた預かり金額と、店員が客へ払い戻した釣り銭額などを、所定の印刷形式で印刷したレシートを発行する印刷機能を備えたものがあり、レシート用の印刷用紙（以下、「レシート用紙」という）としては、ロール状に巻かれた長尺な印刷用紙が用いられることが多い（例えば、特許文献１参照）。
【先行技術文献】
【特許文献】
【０００３】
【特許文献１】特開２００７−１７２０１４号公報
【発明の概要】
【発明が解決しようとする課題】
【０００４】
このようなチェックアウト端末装置では、ロール状のレシート用紙を収容するための部品（以下、「収容部品」という）を用いていて、その収容部品を、例えば、チェックアウト端末装置の基台にネジ止め等して固定していた。
そのため、従来、製造時に収容部品を必要とするとともに、その収容部品を固定するための工程が必要となり、製造時の部品コストが嵩むとともに、製造する際の工数が増え、さらに、組み付け部品としての収容部品を保管管理する手間がかかるという不具合を生じるおそれがあった。
【０００５】
この発明は、かかる実情に鑑みてなされたものであり、製造時の部品コストを低減できるとともに、製造する際の工数、及び、組み付け部品の保管管理の手間を削減できるチェックアウト端末装置を提供することを目的とする。
【課題を解決するための手段】
【０００６】
この発明は、ロール状の用紙を繰り出して、その印刷面に情報を印刷する印刷機能を備えたチェックアウト端末装置（精算装置）であって、鋳造で成形される下部筐体に一体的に作り込まれた、前記ロール状の用紙を収容する収容部を有することを特徴とする。
また、前記収容部は、前記ロール状の用紙の外周面を周接する円弧状であることを特徴とする。
前記収容部は、ロール状の用紙の左右端を受ける壁部に設けられた切り欠き部、又は、該収容部の円弧状の部分若しくはその近傍部分に設けられた切り欠き部を有することを特徴とする。
また、前記収容部は、前記ロール状の用紙の底部に接するローラの軸を係止するための係止部を有することを特徴とする。
【発明の効果】
【０００７】
以上説明したように、本発明によれば、収容部を装置筐体に一体的に設けたので、製造時の部品コストを低減できるとともに、製造する際の工数、及び、組み付け部品の保管管理の手間を削減できる。効果の詳細は、後述する。
【図面の簡単な説明】
【０００８】
【図１】本発明の一実施例にかかるチェックアウト端末装置の概略を示した斜視図。
【図２】本発明の一実施例に係るチェックアウト端末装置の背面側斜視図。
【図３】本発明の一実施例にかかるチェックアウト端末装置において、ロール状に巻かれた印刷用紙を収容する収容部の概略を示した部分正面図。
【図４】本発明の一実施例にかかるチェックアウト端末装置の下部筐体（基台）の概略を示した斜視図。
【図５】（ａ），（ｂ）は、ロール紙の底部を受けるローラの取付の一例を説明するための概略側面図及び概略平面図。
【発明を実施するための形態】
【０００９】
以下、添付図面を参照しながら、この発明の実施の形態を詳細に説明する。
〔実施例〕
図１は、本発明の一実施例にかかるチェックアウト端末装置１００の概略を示した斜視図、図２はチェックアウト端末装置１００の背面側斜視図、図３は本発明の一実施例にかかるチェックアウト端末装置１００において、ロール状に巻かれた印刷用紙（以下、「ロール紙」という）を収容する収容部１１４の概略を示した部分正面図である。
図４はチェックアウト端末装置１００の下部筐体（基台）の概略を示した斜視図である。図５（ａ），（ｂ）は、ロール紙の底部を受けるローラ１１５の取付の一例を説明するための概略側面図及び概略平面図である。
【００１０】
図１において、ＰＯＳ端末装置などに用いられるチェックアウト端末装置１００は、本体部１１０と、操作表示部１２０と、サイン表示部１３０とから構成されている。
【００１１】
本体部１１０は、下部筐体（基台）１１０ａと、上部カバー部１１０ｂとからなり、上部カバー部１１０ｂには、操作員が数値情報等を入力するためのキー入力部１１１、及び、レシートなどの印刷物を印刷して発行するプリンタ部１１２とが備えられている。
【００１２】
また、上部カバー部１１０ｂに設けられた上カバー１１３は、プリンタ部１１２で使用するロール紙（後述）を収容する収容部を開閉するためのものである。
【００１３】
操作表示部１２０は、種々の表示を出力するための表示装置１２１と、この表示装置１２１に表示された表示項目をタッチ操作するためのタッチパネル装置１２２とを備えたものである。
【００１４】
サイン表示部１３０は、このチェックアウト端末装置１００の種別や設定されたレジ番号などを表示するためのものである。
【００１５】
また、チェックアウト端末装置１００は、図２に示すように、下部筐体１１０ａ（ダイカスト）のうち、背面側の電源部を収納する部分１１０ｄの上に、操作表示部１２０を支持・固定する金属部材２０１を備える。この金属部材２０１は、操作表示部１２０を下部筐体１１０ａに対して傾動自在に支持する。チェックアウト端末装置１００は、下部筐体１１０ａに、金属部材２０１を固定するための孔が形成され、ボルトやネジなどの固定部材２０５をその孔と金属部材２０１に形成された孔に貫通・係合させることにより、その金属部材２０１を下部筐体１１０ａに固定した構造となっている。
このように、固定部材２０５を用いて上記金属部材２０１を下部筐体１１０ａに直接固定したので、下部筐体１１０ａと操作表示部１２０との結合強度が大きく、操作表示部１２０の安定性が増加する。例えば、操作者が操作表示部１２０に対してタッチ操作を行った場合であっても、操作表示部１２０や本体部１１０の揺れが小さく、安定性を有するチェックアウト端末装置１００を提供することができる。
【００１６】
図３に示すように、上カバー１１３を開くと、ロール紙（図示略）を収容するための収容部１１４が露出する。この収容部１１４は、ロール紙の左端部を受ける壁部１１４ａと、ロール紙の右端部を受ける壁部１１４ｂと、ロール紙の手前側の面を受ける曲面部１１ｃと、ロール紙の後ろ側の面を受ける曲面部１１４ｄを有する。つまり、収容部１１４は、ロール状の用紙の外周面を周接するように円弧状に形成されている。
【００１７】
この収容部１１４は、ロール状の用紙の左右端を受ける壁部に設けられた切り欠き部、又は、その収容部１１４の円弧状の部分若しくはその近傍部分に設けられた切り欠き部（不図示）を有する。
詳細には、本実施形態では、ロール状の用紙の左右端を受ける壁部に切り欠き部１１４ｅ，１１４ｆが設けられている。具体的には、壁部１１４ａに形成された切り欠き部１１４ｅ及び壁部１１４ｂに形成された切り欠き部１１４ｆは、ロール紙を交換する際、ロール紙を扱う作業者が新たなロール紙を容易にセットできるようにするための空間を確保するためのものである。ここで、切り欠き部１１４ｆは、隣接する部材と一体的に組み合わされて凹部を形成している。
また、切り欠き部は、収容部１１４の円弧状の部分若しくはその近傍部分に設けられていてもよい。
【００１８】
また、係止部１１４ｇは、ロール紙の底部と当接し、ロール紙の転動を円滑にするためのローラ（後述）の軸を係止するためのものである。
【００１９】
図４に示すように、収容部１１４は、下部筐体１１０ａに一体的に作り込まれている。この下部筐体１１０ａは、例えば、ダイキャスト鋳造で形成されるものであり、そのダイキャスト鋳造の際に用いる金型に、収容部１１４を作り込むための要素を設けることで、下部筐体１１０ａを製造する際に、同時に収容部１１４が形成される。
【００２０】
図５（ａ），（ｂ）に示すように、ロール紙２００の底部を受けるローラ１１５の軸１１５ａが、係止部１１４ｇに係止されている。また、ローラ１１５を設置する位置に合わせて、下部筐体１１０ａには抜き孔１１０ａｂが形成されていて、ローラ１１５の下部がその抜き孔１１０ａｂに落ち込むようになっている。
【００２１】
このように、ロール紙２００の底部に当接するローラ１１５を設けて、ローラ１１５でロール紙２００の底部を受けているので、印刷用紙にレシート等を印刷する際にロール紙２００から印刷用紙が繰り出されるとき、ロール紙２００の回転方向に対して逆方向にローラ１１５が回転し、ロール紙２００の外周面とローラ１１５の外周面との間に作用するころがり摩擦による摩擦力が小さい。すなわち、ロール紙２００の転動を妨げる方向に作用する抵抗力が極めて小さいものとなり、その結果、ロール紙２００が転動する際の動きが円滑になり、印刷用紙を搬送する搬送ローラ対等（図示略）を駆動するために必要な駆動力を小さくすることができる。
【００２２】
以上のように、本実施例では、下部筐体１１０ａに収容部１１４を一体的に形成しているので、従来のように、収容部１１４を別部品で筐体等に組み付ける場合に比べて、製造時の部品コストを低減できるとともに、製造する際の工数、及び、組み付け部品の保管管理の手間を削減できる。
【産業上の利用可能性】
【００２３】
本発明は、ロール状の用紙を繰り出して、その印刷面に情報を印刷する印刷機能を備えたチェックアウト端末装置であれば、任意の装置に適用することができる。
【符号の説明】
【００２４】
１００  チェックアウト端末装置
１１０  本体部
１１０ａ  下部筐体（基台）
１１４  収容部
１１４ａ，１１４ｂ  壁部
１１４ｃ，１１４ｄ  曲面部
１１４ｅ，１１４ｆ  切り欠き部
１１４ｇ  係止部
１１５  ローラ
１１５ａ  軸
２００  ロール紙
【図１】
2015075900.tif 000003
【図２】
2015075900.tif 000004
【図３】
2015075900.tif 000005
【図４】
2015075900.tif 000006
【図５】
2015075900.tif 000007